(57)【要約】【課題】ミリ波通信からマイクロ波通信に切換える場合の通信品質を向上できる送信装置を提供する。【解決手段】専用帯域及び非専用帯域を用いて帯域制御される第１の通信路を用いて、通信データを送信する第１送信部と、通信データの優先度別に優先制御される第２の通信路を用いて、通信データを送信する第２送信部と、第１送信部による送信と第２送信部による送信とを切換える切換制御部と、第１送信部による送信から第２送信部による送信に切換える場合、第２の通信路を用いて通信するための通信パラメータを設定するパラメータ設定部と、を備える。【選択図】図１
2014179682.tif 000002
【特許請求の範囲】
【請求項１】
専用帯域及び非専用帯域を用いて帯域制御される第１の通信路を用いて、通信データを送信する第１送信部と、
通信データの優先度別に優先制御される第２の通信路を用いて、通信データを送信する第２送信部と、
前記第１送信部による送信と前記第２送信部による送信とを切換える切換制御部と、
前記切換制御部により前記第１送信部による送信から前記第２送信部による送信に切換える場合、前記第２の通信路を用いて通信するための通信パラメータを設定するパラメータ設定部と、
を備える送信装置。
【請求項２】
請求項１に記載の送信装置であって、
前記パラメータ設定部は、
前記通信データのうちの周期的に送信される周期データの送信パターンと、前記通信データのうちの非周期的に送信される非周期データの送信パターンと、を導出する送信パターン導出部と、
前記送信パターン導出部により導出された前記周期データの送信パターン及び前記非周期データの送信パターンに基づいて、前記通信パラメータを導出するパラメータ導出部と、
を備える送信装置。
【請求項３】
請求項２に記載の送信装置であって、
前記パラメータ設定部は、前記送信パターン導出部により導出された送信パターンによる通信効果を評価する効果評価部を備え、
前記送信パターン導出部は、前記周期データの送信パターン及び前記非周期データの送信パターンを各々複数導出し、
前記効果評価部は、各送信パターンによる各通信効果を評価し、
前記パラメータ導出部は、効果評価部により評価された通信効果が所定効果以上である送信パターンに対応する前記通信パラメータを導出する送信装置。
【請求項４】
請求項２または３に記載の送信装置であって、
前記送信パターン導出部は、前記周期データの通信チャネルへのアクセス回数及び前記周期データの一回のアクセス当たりの送信時間に基づいて、前記周期データの送信パターンを導出する送信装置。
【請求項５】
請求項２ないし４のいずれか１項に記載の送信装置であって、
前記送信パターン導出部は、前記非周期データの通信チャネルへのアクセス回数と、前記非周期データの一回のアクセス当たりの送信時間に基づいて、前記非周期データの送信パターンを導出する送信装置。
【請求項６】
請求項４または５に記載の送信装置であって、
前記パラメータ導出部は、前記送信パターン導出部により導出された前記周期データ又は前記非周期データの前記送信時間に基づいて、前記周期データ又は前記非周期データに用いるＥＤＣＡパラメータのＴＸＯＰ（Ｔｒａｎｓｍｉｓｓｉｏｎ  Ｏｐｐｏｒｔｕｎｉｔｙ）を導出する送信装置。
【請求項７】
請求項４ないし６のいずれか１項に記載の送信装置であって、
前記パラメータ導出部は、前記周期データのアクセス回数及び前記非周期データのアクセス回数に基づいて、前記非周期データに用いるＥＤＣＡパラメータのＣＷｍｉｎ（Ｃｏｎｔｅｎｔｉｏｎ  Ｗｉｎｄｏｗ  ｍｉｎ）を導出する送信装置。
【請求項８】
請求項２ないし７のいずれか１項に記載の送信装置であって、
前記パラメータ設定部は、前記周期データ又は前記非周期データを複数のデータ種別毎に分類するデータ振分部を備える送信装置。
【請求項９】
請求項２ないし８のいずれか１項に記載の送信装置であって、
前記パラメータ設定部は、前記切換制御部による切換え前に、前記周期データが送信される送信周期及び前記送信周期に対応する前記通信パラメータの少なくとも一方を複数導出し、前記切換制御部による切換え後の前記第２の通信路の通信状態に応じて、前記送信周期及び前記送信周期に対応する前記通信パラメータの少なくとも一方を設定する送信装置。
【請求項１０】
請求項１ないし９のいずれか１項に記載の送信装置であって、
前記第１の通信路は、ミリ波通信路である送信装置。
【請求項１１】
請求項１ないし１０のいずれか１項に記載の送信装置であって、
前記第２の通信路は、マイクロ波通信路である送信装置。
【請求項１２】
請求項１ないし１１のいずれか１項に記載の送信装置であって、
前記切換制御部は、全ての前記通信データを前記第２送信部による送信に切換え、又は、一部の前記通信データを前記第２送信部による送信に切換える送信装置。
【請求項１３】
請求項２ないし１２のいずれか１項に記載の送信装置であって、
前記周期データは、ＥＤＣＡパラメータのアクセスカテゴリがＡＣ＿ＶＩ（Ａｃｃｅｓｓ  Ｃａｔｅｇｏｒｙ＿Ｖｉｄｅｏ）又はＡＣ＿ＶＯ（Ａｃｃｅｓｓ  Ｃａｔｅｇｏｒｙ＿Ｖｏｉｃｅ）の通信データである送信装置。
【請求項１４】
請求項２ないし１３のいずれか１項に記載の送信装置であって、
前記非周期データは、ＥＤＣＡパラメータのアクセスカテゴリがＡＣ＿ＢＥ（Ａｃｃｅｓｓ  Ｃａｔｅｇｏｒｙ＿Ｂｅｓｔ  Ｅｆｆｏｒｔ）又はＡＣ＿ＢＫ（Ａｃｃｅｓｓ  Ｃａｔｅｇｏｒｙ＿ＢａｃＫｇｒｏｕｎｄ）である送信装置。
【請求項１５】
送信装置における送信方法であって、
専用帯域及び非専用帯域を用いて帯域制御される第１の通信路を用いて、通信データを送信するステップと、
通信データの優先度別に優先制御される第２の通信路を用いて、通信データを送信するステップと、
前記第１の通信路を用いた送信と前記第２の通信路を用いた送信とを切換えるステップと、
前記第１の通信路を用いた送信から前記第２の通信路を用いた送信に切換える場合、前記第２の通信路を用いて通信するための通信パラメータを設定するステップと、
を有する送信方法。
【発明の詳細な説明】
【技術分野】
【０００１】
本開示は、送信装置及び送信方法に関する。
【背景技術】
【０００２】
従来、複数の通信装置間における通信として、ＱｏＳ（Ｑｕａｌｉｔｙ  ｏｆ  Ｓｅｒｖｉｃｅ）機能（例えば優先制御機能）を用いた通信が普及している。優先制御方式には、例えば、ＥＤＣＡ（Ｅｎｈａｎｃｅｄ  Ｄｉｓｔｒｉｂｕｔｅｄ  Ｃｈａｎｎｅｌ  Ａｃｃｅｓｓ）が含まれる。
【０００３】
従来のＥＤＣＡ通信方式を採用する装置として、ＥＤＣＡパラメータを調整する装置が知られている（例えば、特許文献１参照）。特許文献１に記載された装置は、通信環境に適応するＥＤＣＡパラメータの設定において、各アクセスカテゴリ（即ち優先度種類）別の通信端末数及びリアルタイム通信の負荷量を測定し、通信環境をシミュレーションする。この装置は、通信環境のシミュレーションの結果に応じて、リアルタイムデータの遅延時間を短縮し、又は非リアルタイムデータの処理量を増加するＥＤＣＡパラメータを求める。
【先行技術文献】
【特許文献】
【０００４】
【特許文献１】特開２００７−００６４９７公報
【発明の概要】
【発明が解決しようとする課題】
【０００５】
特許文献１の装置では、ミリ波を用いた近距離無線通信（以下、単に「ミリ波通信」という）からマイクロ波を用いた通信（以下、単に「マイクロ波通信」という）へ通信を切換える場合、通信品質が劣化する可能性がある。
【０００６】
本開示は、上記事情に鑑みてなされたものであり、ミリ波通信からマイクロ波通信に切換える場合の通信品質を向上できる送信装置及び送信方法を提供する。
【課題を解決するための手段】
【０００７】
本開示の送信装置は、専用帯域及び非専用帯域を用いて帯域制御される第１の通信路を用いて、通信データを送信する第１送信部と、通信データの優先度別に優先制御される第２の通信路を用いて、通信データを送信する第２送信部と、前記第１送信部による送信と前記第２送信部による送信とを切換える切換制御部と、前記切換制御部により前記第１送信部による送信から前記第２送信部による送信に切換える場合、前記第２の通信路を用いて通信するための通信パラメータを設定するパラメータ設定部と、を備える。
【発明の効果】
【０００８】
本開示によれば、ミリ波通信からマイクロ波通信に切換える場合の通信品質を向上できる。
【図面の簡単な説明】
【０００９】
【図１】第１の実施形態における送信装置の構成例を示すブロック図
【図２】第１の実施形態におけるパラメータ設定部の構成例を示すブロック図
【図３】（Ａ）第１の実施形態におけるミリ波通信の帯域割当状況の一例を示す模式図、（Ｂ）第１の実施形態におけるミリ波通信の周期特性の一例を示す模式図、（Ｃ）第１の実施形態におけるマイクロ波に対する周期特性の要求の一例を示す模式図
【図４】第１の実施形態における周期データ送信パターン設定部の構成例を示すブロック図
【図５】（Ａ），（Ｂ）第１の実施形態における周期データを含む送信パターンの一例を示す模式図
【図６】第１の実施形態における非周期データ送信パターン設定部の構成例を示すブロック図
【図７】（Ａ），（Ｂ）第１の実施形態における非周期データを含む送信パターンの一例を示す模式図
【図８】第１の実施形態における送信装置の動作例を示すフローチャート
【図９】第２の実施形態における送信装置の構成例を示すブロック図
【図１０】第３の実施形態における送信装置の構成例を示すブロック図
【図１１】ＥＤＣＡ方式における各時間の割り当てを示す模式図
【図１２】ＥＤＣＡパラメータのアクセスカテゴリ毎の推奨値を示す模式図
【発明を実施するための形態】
【００１０】
以下、本開示の実施形態について、図面を参照しながら説明する。
【００１１】
（本開示の一形態を得るに至った経緯）
昨今、例えばモバイル端末の高機能化又は映像コンテンツのＨＤ（Ｈｉｇｈ  Ｄｅｎｓｉｔｙ）化に伴い、モバイル端末においても、高画質な映像ファイル又は大容量のファイルが通信され始めている。この通信環境では、通信端末は、相手の通信端末との間において、大容量のファイルを高速に通信することを要請される。
【００１２】
高速な通信方法として、ミリ波通信が注目されている。ミリ波通信は、ギガビット以上のスループットにより通信できる通信規格である。ミリ波通信は、モバイル端末間において、赤外線通信に代わる通信として、又は公衆無線網のトラフィックを軽減させる役割として、期待されている。
【００１３】
ミリ波通信が今後普及するためには、既存のマイクロ波の無線ＬＡＮ（Ｌｏｃａｌ  Ａｒｅａ  Ｎｅｔｗｏｒｋ）による通信（以下、無線ＬＡＮ通信という）との共存が必要である。なお、ここでのマイクロ波通信は、ミリ波通信を含まないことを想定する。ミリ波通信端末（例えばモバイル通信端末）では、ミリ波と共に無線ＬＡＮ通信機能も同時に搭載されることが一般的になると考えられる。
【００１４】
ミリ波通信は、無線ＬＡＮ通信と比較した場合、超高速に通信できるが、通信距離が短く、指向性が強い。従って、通信中のスループットの増減が激しく、使い方によっては通信が途中で遮断されることも想定される。また、ミリ波通信と無線ＬＡＮ通信との連携が重要であり、特に、ミリ波通信と無線ＬＡＮ通信とのシームレスな切換が重要である。
【００１５】
ミリ波通信のＷｉＦｉ（Ｗｉｒｅｌｅｓｓ  Ｆｉｄｅｌｉｔｙ）規格であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａｄでは、６０ＧＨｚの周波数帯を用いて通信される。無線ＬＡＮ通信のＷｉＦｉ規格である例えばＩＥＥＥ８０２．１１ｎでは、５ＧＨｚ又は２．４ＧＨｚの周波数帯を用いて通信される。
【００１６】
ミリ波通信と無線ＬＡＮ通信との間においてシームレス切換（６０ＧＨｚから５ＧＨｚ／２．４ＧＨｚの周波数帯への切換、又はその逆への切換）を行う方式として、ＦＳＴ（Ｆａｓｔ  Ｓｅｓｓｉｏｎ  Ｔｒａｎｓｆｅｒ）が規格化されている。ＦＳＴは、以下の参考文献に示されており、ミリ波通信を補う規格として注目されている。
【００１７】
（参考文献：ＩＥＥＥ８０２．１１ａｄ−２０１２,ＩＥＥＥ,Ｄｅｃ.２０１２）。
【００１８】
ミリ波通信と無線ＬＡＮ通信との機能が搭載された通信端末が、ミリ波通信による高速性を最大限に活かすためには、ミリ波通信の切れやすさを補い、ミリ波通信から無線ＬＡＮ通信へスムーズに切り換えることが必要である。この切換えには、例えばＦＳＴが用いられる。特に、リアルタイム通信（例えば映像ストリーミングの通信）を実施する場合、リアルタイム性を維持する必要がある。リアルタイム性の維持には、通信帯域の割り当て方が重要である。
【００１９】
通常、同時にミリ波通信する通信端末数が少ないので、ミリ波通信には、専用帯域が割り当てられることが多い。つまり、ミリ波通信の場合、各通信端末において動作中のアプリケーション、特にリアルタイム性を要するアプリケーションの通信データに対し、専用の送信帯域が割り当てられる。
【００２０】
一方、無線ＬＡＮ通信の場合、多数の通信端末が、広い範囲において、同時に１つのアクセスポイントと通信することがある。また、干渉の影響を避けるため、専用帯域が割り当てられないことが多い。無線ＬＡＮ通信では、通信データに優先度を付ける優先帯域割り当て方式（優先制御）が一般的に利用される。
【００２１】
優先帯域割り当て方式の場合、通信データは、例えば、複数のアクセスカテゴリ（ＡＣ：Ａｃｃｅｓｓ  Ｃａｔｅｇｏｒｙ）に分類される。アクセスカテゴリ間の相対優先度は、例えばＥＤＣＡパラメータにより決定され、例えば送信権獲得の確率又は送信時間の長さにより差別化される。
【００２２】
図１１は、ＥＤＣＡの基本方式を示す模式図である。ＥＤＣＡに用いられる時間は、キャリアセンス時間ＡＩＦＳ（Ａｒｂｉｔｒａｔｉｏｎ  ＩｎｔｅｒＦｒａｍｅ  Ｓｐａｃｅ）、及びバックオフ時間ＣＷ（Ｃｏｎｔｅｎｔｉｏｎ  Ｗｉｎｄｏｗ）を含む。また、ＥＤＣＡに用いられる時間は、フレーム送信時間ＴＸＯＰ（Ｔｒａｎｓｍｉｓｓｉｏｎ  Ｏｐｐｏｒｔｕｎｉｔｙ）を含む。
【００２３】
通信端末は、通信要求が発生した場合、キャリアセンス時間ＡＩＦＳの経過後に、チャネルの状態を検知する。通信端末は、検知の結果、チャネルがアイドル状態であれば、バックオフ時間ＣＷをランダムに生成し、バックオフ時間ＣＷのカウントダウンを開始する。通信端末は、バックオフ時間ＣＷのカウントが０になった時点において送信権を獲得し、指定送信時間としてのフレーム送信時間ＴＸＯＰ内においてフレームを送受信する。通信端末は、指定送信時間が終了すると、通信要求がある場合に再度キャリアセンスし、送信権の獲得を競う。
【００２４】
無線ＬＡＮ通信に使用されるＷｉＦｉ規格であるＩＥＥＥ８０２．１１ｅでは、ＥＤＣＡにおいて、優先度に応じて４つのアクセスカテゴリ（ＡＣ＿ＶＯ、ＡＣ＿ＶＩ、ＡＣ＿ＢＥ、ＡＣ＿ＢＫ）が規定されている。
【００２５】
ＡＣ＿ＶＯは、Ａｃｃｅｓｓ  Ｃａｔｅｇｏｒｙ＿Ｖｏｉｃｅの略語である。ＡＣ＿ＶＩは、Ａｃｃｅｓｓ  Ｃａｔｅｇｏｒｙ＿Ｖｉｄｅｏの略語である。ＡＣ＿ＢＫは、Ａｃｃｅｓｓ  Ｃａｔｅｇｏｒｙ＿Ｂｅｓｔ  Ｅｆｆｏｒｔの略語である。ＡＣ＿ＢＫは、Ａｃｃｅｓｓ  Ｃａｔｅｇｏｒｙ＿ＢａｃＫｇｒｏｕｎｄの略語である。
【００２６】
ＡＣ＿ＶＯ及びＡＣ＿ＶＩは、リアルタイム性を要するデータであり、例えば音声データ又はビデオデータ（映像データ）である。ＡＣ＿ＢＥ及びＡＣ＿ＢＫは、非リアルタイムの（リアルタイム性を要しない）データである。
【００２７】
図１２は、ＥＤＣＡパラメータの推奨値を示す模式図である。ＥＤＣＡの４つのアクセスカテゴリに対し、各々異なるＥＤＣＡパラメータ値が推奨されている。ＡＩＦＳＮ（Ａｒｂｉｔｒａｔｉｏｎ  ＩｎｔｅｒＦｒａｍｅ  Ｓｐａｃｅ  Ｎｕｍｂｅｒ）は、キャリアセンス時間ＡＩＦＳを指定する。キャリアセンス時間ＡＩＦＳは、ＡＩＦＳＮ×スロットタイムにより導出される。ＣＷｍｉｎは、バックオフ用ランダム値の最小値を示し、ＣＷｍａｘは、バックオフ用ランダム値の最大値を示す。フレーム送信時間ＴＸＯＰは、送信権獲得後の送信時間の長さを指定する。
【００２８】
ＥＤＣＡパラメータの推奨値は、個別の通信環境に対し、最善なパラメータ値ではないことがある。例えば、特許文献１において、通信環境に対する最適なＥＤＣＡパラメータを求める技術が提案されている。
【００２９】
特許文献１の装置では、ＥＤＣＡパラメータを適応的に設定するが、現在の通信環境を測定することにより、ＥＤＣＡパラメータを設定する。また、ミリ波通信からマイクロ波通信へ切換える場合、切換え前に、切換え後のＥＤＣＡパラメータを設定する必要がある。そのため、ミリ波通信からマイクロ波通信に切換える場合、切換え後の通信環境を測定することが困難であり、切換え前に、切換え後のＥＤＣＡパラメータを適切に設定することが困難である。
【００３０】
また、特許文献１では、多数の通信端末が１つのアクセスポイントと通信する通信環境を対象とする。そのため、自律的に送信タイミングを制御する多数の通信端末の全体状況を把握するため、シミュレーション手法を利用していた。しかし、ミリ波通信からマイクロ波通信への切換えでは、シミュレーションが有効な手段とは言えない。これは、切換え後の通信環境を想定していないため、シミュレーションの仮定条件が多くなり、高精度の結果を得るには計算量が多くなることに起因する。
【００３１】
以下、ミリ波通信からマイクロ波通信に切換える場合の通信品質を向上できる送信装置及び送信方法について説明する。
【００３２】
（第１の実施形態）
図１は、第１の実施形態における送信装置１０の構成例を示すブロック図である。送信装置１０は、切換制御部１１、ミリ波送信部１３、マイクロ波送信部１５、及びパラメータ設定部１７を含む。送信装置１０として、例えば無線通信機能を有するセンサが考えられる。
【００３３】
送信装置１０の入力データは、例えば、通信相手に送信する予定の通信データである。通信データは、所定のアプリケーションソフトウェア（不図示）によりリアルタイムに生成され、又は、所定のメモリ（不図示）に保存されたデータを取得して取得データから生成される。
【００３４】
また、通信データは、送信装置１０に入力されるまでに加工されてもよい。例えば、通信データに所定の通信プロトコルのヘッダ情報が付加されてもよい。通信データの生成及び加工の方法、並びに通信データのフォーマットについては、制限されない。
【００３５】
切換制御部１１は、通信データを送信する通信路を選択する。切換制御部１１は、例えば、ミリ波通信路の通信状態が良好である場合、ミリ波通信路を選択する。ミリ波通信路は、ミリ波通信に使用される通信路であり、専用帯域及び非専用帯域を用いて帯域制御される第１の通信路の一例である。ミリ波通信の通信方式は、例えばＳＰＣＡ（Ｓｅｒｖｉｃｅ  Ｐｅｒｉｏｄ  Ｃｈａｎｎｅｌ  Ａｃｃｅｓｓ）方式を含む。
【００３６】
また、切換制御部１１は、ミリ波通信路の通信状態が良好でない場合、マイクロ波通信路を選択する。マイクロ波通信路は、マイクロ波通信に使用される通信路であり、通信データの優先度別に優先制御される第２の通信路の一例である。マイクロ波通信の通信方式は、例えばＥＤＣＡ方式を含む。なお、本実施形態におけるマイクロ波通信には、ミリ波通信は含まない。
【００３７】
なお、通信路の通信状態を判断する方法は限定しない。公知技術として、例えば、統計情報（例えば再送回数）を利用する方法、信号対干渉雑音電力比（ＳＮＩＲ：Ｓｉｇｎａｌ  ｔｏ  Ｉｎｔｅｒｆｅｒｅｎｃｅ−ｐｌｕｓ−Ｎｏｉｓｅ  Ｒａｔｉｏ）を測定する方法がある。
【００３８】
ミリ波送信部１３は、ミリ波通信路を用いて、切換制御部１１からの通信データを送信する。例えば、ＩＥＥＥ８０２．１１ａｄ規格に準拠して、通信データを送信する。
【００３９】
マイクロ波送信部１５は、マイクロ波通信路を用いて、切換制御部１１からの通信データを送信する。例えば、ＩＥＥＥ８０２．１１ｎ規格に準拠して、通信データを送信する。マイクロ波通信の通信周波数帯は、例えば２．４ＧＨｚ帯又は５ＧＨｚ帯を含む。
【００４０】
パラメータ設定部１７は、ミリ波送信部１３からミリ波通信における帯域割当状況の情報を取得する。ミリ波通信に対する帯域割当状況の情報は、例えば、通信トラフィックストリームの数、各トラフィックストリームに与えられる帯域の利用状況、の情報を含む。
【００４１】
また、パラメータ設定部１７は、マイクロ波送信に切換える場合、マイクロ波通信用の関連パラメータを設定する。マイクロ波通信用の関連パラメータは、トラフィックストリームの種類を示すアクセスカテゴリ用のＥＤＣＡパラメータを含み、通信パラメータの一例である。
【００４２】
図２は、パラメータ設定部１７の構成例を示すブロック図である。パラメータ設定部１７は、周期特性取得部２１、周期データ送信パターン設定部２２、非周期データ送信パターン設定部２３、効果評価部２４、送信パターン確定部２５、及びパラメータ導出部２６を含む。
【００４３】
周期特性取得部２１は、ミリ波通信に対する帯域割当状況に基づき、ミリ波通信の周期特性を抽出し、マイクロ波通信に対する周期特性の要求を導出する。
【００４４】
ミリ波通信では、専用帯域が設けられており、専用帯域を用いて、リアルタイム性を要し周期的に送信要求が発生する通信データ（以下、周期データともいう）が周期的に送信される。周期特性取得部２１は、例えば、専用帯域が反復して出現する周期Ｔ及び周期Ｔにおけるミリ波送信部１３による送信量を、周期特性として抽出する。
【００４５】
また、マイクロ波通信では、ミリ波通信と異なり、一般的に干渉を防止するために専用帯域が設けられない。ミリ波通信における専用帯域において送信される周期データは、マイクロ波通信における所定の帯域に周期的に割り当てられる。周期特性取得部２１は、例えば、マイクロ波通信における周期Ｔ及び周期Ｔにおけるマイクロ波送信部１５による送信量を、周期特性の要求として導出する。
【００４６】
図３（Ａ）〜（Ｃ）は、周期特性取得部２１の処理例を説明する模式図である。図３（Ａ）は、ミリ波通信に対する帯域割当状況（送信状況）の一例を示す模式図である。
【００４７】
ミリ波通信に対する帯域割当の種類は、例えば、ＳＰ（Ｓｅｒｖｉｃｅ  Ｐｅｒｉｏｄ）とＣＢＡＰ（Ｃｏｎｔｅｎｔｉｏｎ−Ｂａｓｅｄ  Ａｃｃｅｓｓ  Ｐｅｒｉｏｄ）との２種類を含む。
【００４８】
ＳＰは、専用帯域を指し、指定通信データに対して与えられる専用の送信時間である。指定送信データは、リアルタイム性を要し、周期的に送信要求が発生する通信データ（以下、周期データともいう）である。周期データには、例えば、音声データ（例えばアクセスカテゴリがＡＣ＿ＶＯの通信データ）、ビデオデータ（例えばアクセスカテゴリがＡＣ＿ＶＩの通信データ）、が含まれる。
【００４９】
ＣＢＡＰは、競合帯域（非専用帯域）を指し、複数の通信データ（例えば、リアルタイム性を要しない通信データ（以下、非周期データともいう））により競合して獲得される送信時間である。ＣＢＡＰの競合には、例えばＥＤＣＡが利用される。非周期データには、例えば、アクセスカテゴリがＡＣ＿ＢＥの通信データ、アクセスカテゴリがＡＣ＿ＢＧの通信データ、が含まれる。
【００５０】
図３（Ａ）では、ＳＰ及びＣＢＡＰのいずれも、１つ又は複数のビーコン周期において、複数回に分割して帯域割当される。図３（Ａ）では、ビーコン周期においてＳＰ１及びＳＰ２が含まれ、以降のビーコン周期においてもＳＰ１及びＳＰ２が同様の時間区間において反復される。また、１つ又は複数のビーコン周期において、ＳＰ１及びＳＰ２が一回だけ帯域割当されてもよい。ＳＰ１，ＳＰ２は、例えば同じアプリケーションに割り当てられてもよいし、異なるアプリケーションに割り当てられてもよい。
【００５１】
ミリ波通信の帯域割当は、例えば図示しない通信管理端末であるＰＣＰ（ＰＢＳＳ  Ｃｅｎｔｒａｌ  Ｐｏｉｎｔ）により決定される。また、例えば、ＳＰ，ＣＢＡＰの時間区間の長さ、ＳＰ，ＣＢＡＰの時間区間の数について、ＰＣＰにより決定される。また、送信装置１０が通信データのデータ種別からＰＣＰへ帯域割当を要求し、ＰＣＰが例えば演算により帯域割当を決定してもよい。また、ＰＣＰが帯域割当のための情報を送信装置１０により実行されるアプリケーションから受け取り、アプリケーション毎に帯域割当してもよい。
【００５２】
図３（Ｂ）は、周期データのミリ波通信における帯域割当状況の一例を示す模式図である。図３（Ｂ）では、周期Ｔにおける送信時間が、送信時間Ｔ１と送信時間Ｔ２との２回に分割された場合を例示する。ここでは、周期Ｔは周期データが送信される周期を示し、ビーコン周期の半分の期間である。
【００５３】
図３（Ｃ）は、マイクロ波通信する場合の周期データの周期特性の要求の一例を示す模式図である。通常、マイクロ波通信の伝送速度は、ミリ波通信の伝送速度よりも遅いので、周期Ｔにおける送信時間Ｔ３が長くなる。マイクロ波通信における送信時間Ｔ３は、ミリ波通信における送信時間Ｔ１と送信時間Ｔ２とにおいて送信される通信データを送信するための期間に対応する。
【００５４】
送信時間Ｔ３は、送信準備期間であるオーバーヘッド時間（例えば、ＥＤＣＡパラメータにおけるキャリアセンス時間ＡＩＦＳ、バックオフ時間ＣＷ、フレーム間隔時間）を含まない。送信時間Ｔ３は、通信データを送信する期間に相当する。なお、オーバーヘッド時間は、通信データの種類（例えばアクセスカテゴリ）に応じて異なる。
【００５５】
なお、マイクロ波通信では、ＥＤＣＡパラメータを利用するので、送信時間の開始時刻を指定できない。つまり、図３（Ｃ）では送信時間Ｔ３を示されているが、開始時刻指定の意味はない。
【００５６】
マイクロ波通信の帯域割当は、例えば図示しない通信管理端末であるアクセスポイント（ＡＰ：Ａｃｃｅｓｓ  Ｐｏｉｎｔ）により決定される。
【００５７】
周期データ送信パターン設定部２２は、マイクロ波通信により通信される周期データの送信パターンを設定する。周期データ送信パターン設定部２２は、送信パターン導出部の一例である。
【００５８】
非周期データ送信パターン設定部２３は、マイクロ波通信により通信される非周期データの送信パターンを設定する。送信パターン導出部の一例である。
【００５９】
効果評価部２４は、周期データ送信パターン設定部２２及び非周期データ送信パターン設定部２３により設定された各種送信パターンに対し、通信効果を評価する。効果評価部２４における通信効果の評価指標は、例えば、通信スループット、通信帯域有効利用率、又はアクセス回数Ｎ１，Ｎ２の少なさを含む。
【００６０】
また、送信パターンは、例えば、通信チャネルへのアクセス回数Ｎ１，Ｎ２及び一回のアクセス当たりの送信時間ＴＯＮＥ２，ＴＯＮＥ４（後述）（以下、一回送信時間ともいう）の組み合わせを含む。一回送信時間ＴＯＮＥ２，ＴＯＮＥ４は、オーバーヘッド時間を含む送信時間である。また、送信パターンは、アクセス回数Ｎ１，Ｎ２及び一回送信時間ＴＯＮＥ２，ＴＯＮＥ４に基づく各通信データの時間配置（例えば図３（Ａ）における各通信データの配列）の情報を含んでもよい。
【００６１】
周期データの送信パターンは、周期データのアクセス回数Ｎ１及び周期データの一回送信時間ＴＯＮＥ２に基づく。非周期データの送信パターンは、非周期データのアクセス回数Ｎ２及び非周期データの一回送信時間ＴＯＮＥ４に基づく。周期データのアクセス回数Ｎ２及び非周期データの一回送信時間ＴＯＮＥ４としては、候補値が複数用意される。これにより、送信パターンの様々なバリエーションを生成でき、異なる通信効果を評価できる。なお、各送信パターンは、周期特性取得部２１により導出されたマイクロ波通信における周期特性の要求を満たすことが前提である。
【００６２】
例えば、効果評価部２４は、アクセス回数Ｎ１，Ｎ２の少ない送信パターン、つまり一回送信時間ＴＯＮＥ２，ＴＯＮＥ４が長い送信パターンを、良好な通信であると評価してもよい。この場合、オーバーヘッド時間を相対的に短くすることで、通信効率を向上できる可能性がある。
【００６３】
また、例えば、効果評価部２４は、実際の通信環境に適応する一回送信時間ＴＯＮＥ２，ＴＯＮＥ４を基に、各送信パターンを比較し、評価してもよい。この場合、実際の通信環境を考慮し、例えばパケットロス又は通信データの再送が発生しても、通信効率の低下を抑制できる。
【００６４】
なお、効果評価部２４は、一回送信時間ＴＯＮＥ２，ＴＯＮＥ４の代わりに、一回送信時間ＴＯＮＥ１，ＴＯＮＥ３に基づいて通信効果を評価してもよい。
【００６５】
送信パターン確定部２５は、効果評価部２４による評価結果に基づき、周期データの送信パターンと非周期データの送信パターンとを確定する。
【００６６】
パラメータ導出部２６は、送信パターン確定部２５により確定された送信パターンに対応するＥＤＣＡパラメータを導出する。例えば、パラメータ導出部２６は、周期データの一回送信時間ＴＯＮＥ１及びアクセス回数Ｎ１、並びに、非周期データの一回送信時間ＴＯＮＥ３及びアクセス回数Ｎ２を抽出する。一回送信時間ＴＯＮＥ１，ＴＯＮＥ３は、オーバーヘッド時間を含まない送信時間である。また、パラメータ導出部２６は、周期データに用いるＥＤＣＡパラメータにおけるＴＸＯＰ及びＣＷｍｉｎを導出し、非周期データに用いるＥＤＣＡパラメータにおけるＴＸＯＰ及びＣＷｍｉｎを導出する。
【００６７】
パラメータ導出部２６は、周期データのＴＸＯＰを、周期データの送信パターンにおける一回送信時間ＴＯＮＥ１から導出する。パラメータ導出部２６は、一回送信時間ＴＯＮＥ１をそのまま周期データのＴＸＯＰとしてもよいし、一回送信時間ＴＯＮＥ１を一部加工してＴＸＯＰとしてもよい。
【００６８】
また、パラメータ導出部２６は、ＥＤＣＡパラメータにおけるアクセスカテゴリＡＣ＿ＶＩに対する推奨値（図１２参照）、又は当該推奨値よりも小さい値を、周期データのＣＷｍｉｎとして導出する。
【００６９】
また、パラメータ導出部２６は、非周期データのＴＸＯＰを、非周期データの送信パターンにおける一回送信時間ＴＯＮＥ３から導出する。パラメータ導出部２６は、一回送信時間ＴＯＮＥ３をそのまま周期データのＴＸＯＰとしてもよいし、一回送信時間ＴＯＮＥ３を一部加工してＴＸＯＰとしてもよい。
【００７０】
また、パラメータ導出部２６は、非周期データのＣＷｍｉｎを、例えば以下に示す式（１）により導出する。
【００７１】
【数１】
2014179682.tif 000003
【００７２】
このように、送信パターン確定部２５により確定された送信パターンに対応するＥＤＣＡパラメータのＴＸＯＰ，ＣＷｍｉｎを導出することにより、通信効果により所定基準以上であると評価されたＥＤＣＡパラメータを設定できる。従って、通信切換前後において通信品質を維持できる。
【００７３】
次に、周期データ送信パターン設定部２２の詳細について説明する。
【００７４】
図４は、周期データ送信パターン設定部２２の構成例を示すブロック図である。周期データ送信パターン設定部２２は、アクセス回数候補値設定部４１、一回送信時間導出部４３、及び第１チャネル占有時間導出部４５を含む。
【００７５】
アクセス回数候補値設定部４１は、周期Ｔにおける周期データの送信時間Ｔ３を分割する回数（アクセス回数Ｎ１）の候補値を設定する。
【００７６】
例えば、アクセス回数候補値設定部４１は、周期データを送信するフレームサイズとミリ波通信路の伝送速度とに応じて、周期データの一回送信時間ＴＯＮＥ１の最小値を導出する。このフレームサイズ及び伝送速度は、例えばＰＣＰから通知され、又はアプリケーション毎に設定されている。アクセス回数候補値設定部４１は、周期データの一回送信時間ＴＯＮＥ１の最小値に応じて、周期Ｔにおける最大アクセス回数Ｎ１ｍａｘを導出する。
【００７７】
アクセス回数候補値設定部４１は、アクセス回数Ｎ１の候補値として、例えば「１」から最大アクセス回数Ｎ１ｍａｘまでの整数値を順番に設定してもよいし、最大アクセス回数Ｎ１ｍａｘから「１」までの整数値を順番に設定してもよい。
【００７８】
一回送信時間導出部４３は、アクセス回数候補値設定部４１により設定されたアクセス回数Ｎ１の候補値に基づき、周期データの一回送信時間ＴＯＮＥ２を導出する。
【００７９】
例えば、まず、一回送信時間導出部４３は、図３（Ｃ）に示した送信時間Ｔ３をアクセス回数Ｎ１により除算し、一回送信時間ＴＯＮＥ１を導出する。一回送信時間ＴＯＮＥ１は、オーバーヘッド時間を含まない。
【００８０】
続いて、一回送信時間導出部４３は、ＥＤＣＡにおけるオーバーヘッド時間を考慮した一回送信時間ＴＯＮＥ２を導出する。なお、オーバーヘッド時間に含まれるバックオフ時間ＣＷにはランダム値を利用するので、バックオフ時間ＣＷとして、例えばバックオフ時間ＣＷの平均値が利用される。
【００８１】
第１チャネル占有時間導出部４５は、周期データのチャネル占有時間Ｔ４を導出する。周期データのチャネル占有時間Ｔ４は、例えば、一回送信時間ＴＯＮＥ２とアクセス回数Ｎ１との乗算結果である。
【００８２】
図５（Ａ），（Ｂ）は、周期データの異なる送信パターンの一例を示す模式図である。図５（Ａ）はアクセス回数Ｎ１が２回の場合を示し、図５（Ｂ）はアクセス回数Ｎ１が３回の場合を示す。図５（Ａ），（Ｂ）では、一回送信時間ＴＯＮＥ１，ＴＯＮＥ２、及びチャネル占有時間Ｔ４を各々示す。
【００８３】
次に、非周期データ送信パターン設定部２３の詳細について説明する。
【００８４】
図６は、非周期データ送信パターン設定部２３の構成例を示すブロック図である。非周期データ送信パターン設定部２３は、第２チャネル占有時間導出部６１、一回送信時間候補値設定部６３、及びアクセス回数導出部６５を含む。
【００８５】
第２チャネル占有時間導出部６１は、周期データ送信パターン設定部２２から周期Ｔ及び周期データのチャネル占有時間Ｔ４の情報を取得する。第２チャネル占有時間導出部６１は、周期Ｔにおける非周期データのチャネル占有時間Ｔ５を導出する。非周期データのチャネル占有時間Ｔ５は、例えば、周期Ｔから周期データのチャネル占有時間Ｔ４を除いた残り時間である。
【００８６】
一回送信時間候補値設定部６３は、非周期データの一回送信時間ＴＯＮＥ３の候補値を導出する。例えば、一回送信時間候補値設定部６３は、非周期データを送信するフレームサイズとミリ波通信路の伝送速度とに応じて、非周期データの一回送信時間ＴＯＮＥ３を導出する。続いて、一回送信時間候補値設定部６３は、非周期データのチャネル占有時間Ｔ５に基づき、一回のアクセスによる送信フレーム数の最大値を導出する。続いて、一回送信時間候補値設定部６３は、送信フレーム数の候補値に対応する非周期データの一回送信時間ＴＯＮＥ３の候補値を順番に設定する。
【００８７】
一回送信時間候補値設定部６３は、非周期データの一回送信時間ＴＯＮＥ３の候補値として、例えば時間間隔を均等にして順に設定してもよいし、例えば通信効果が高いと評価された候補値の付近を重点的に細かく設定してもよい。
【００８８】
また、一回送信時間候補値設定部６３は、ＩＥＥＥ８０２．１１ｅ規格におけるＥＤＣＡパラメータに対する推奨値のように、一回のアクセスにより、非周期データを１フレームにより送信するよう固定し、１フレームに対応する送信時間を設定しても良い。
【００８９】
アクセス回数導出部６５は、非周期データの一回送信時間ＴＯＮＥ３の候補値に非周期データのオーバーヘッド時間を加えた一回送信時間ＴＯＮＥ４を導出し、一回送信時間ＴＯＮＥ４に応じてアクセス回数Ｎ２を導出する。非周期データは周期データよりも優先度が小さい場合が多いので、非周期データのオーバーヘッド時間は、周期データのオーバーヘッド時間よりも長いことが多い。
【００９０】
図７（Ａ），（Ｂ）は、周期データ及び非周期データに対する異なる送信パターンの例を示す模式図である。図７（Ａ）は、周期データのアクセス回数Ｎ２が２回であり、非周期データのアクセス回数Ｎ２が１回である場合の送信パターンを示す。図７（Ｂ）は、周期データのアクセス回数Ｎ２が２回であり、非周期データのアクセス回数Ｎ２が２回である場合の送信パターンを示す。
【００９１】
次に、送信装置１０の動作例について説明する。
図８は、送信装置１０の動作例を示すフローチャートである。
【００９２】
まず、Ｓ８０１では、周期特性取得部２１は、ミリ波通信からマイクロ波通信への通信方式の切換え前に、ミリ波通信路の周期特性を導出する。
【００９３】
続いて、Ｓ８０３では、周期特性取得部２１は、ミリ波通信路の伝送速度とマイクロ波通信路の伝送速度とを考慮し、マイクロ波通信路に対する周期特性の要求を導出する。
【００９４】
続いて、Ｓ８０５では、周期データ送信パターン設定部２２は、周期データに対し、マイクロ波通信路において送信される際に通信チャネルにアクセス可能な回数の範囲を導出する。つまり、周期データ送信パターン設定部２２は、周期Ｔにおける最大アクセス回数Ｎ１ｍａｘを導出する。従って、アクセス可能な回数の範囲は、１回〜最大アクセス回数Ｎ１ｍａｘである。
【００９５】
続いて、Ｓ８０７では、周期データ送信パターン設定部２２は、アクセス回数の範囲から１つの候補値を選択する。これにより、Ｓ８１９において周期データのアクセス回数Ｎ１の候補値の順に通信効果が評価される。
【００９６】
続いて、Ｓ８０９では、周期データ送信パターン設定部２２は、周期データのアクセス回数Ｎ１の候補値に対応する周期データの一回送信時間ＴＯＮＥ２、及び周期データのチャネル占有時間Ｔ４を導出する。
【００９７】
続いて、Ｓ８１１では、非周期データ送信パターン設定部２３は、周期Ｔ及び周期データのチャネル占有時間Ｔ４から、非周期データのチャネル占有時間Ｔ５を導出する。
【００９８】
続いて、Ｓ８１３では、非周期データ送信パターン設定部２３は、一回の送信により送信可能なフレーム数を基に、非周期データの一回送信時間ＴＯＮＥ３の候補値の範囲を導出する。
【００９９】
続いて、Ｓ８１５では、非周期データ送信パターン設定部２３は、非周期データの一回送信時間ＴＯＮＥ３の候補値の範囲から、１つの候補値を選択する。これにより、Ｓ８１９において非周期データの一回送信時間ＴＯＮＥ４毎に通信効果が評価される。
【０１００】
続いて、Ｓ８１７では、非周期データ送信パターン設定部２３は、非周期データの一回送信時間ＴＯＮＥ４に対応する非周期データのアクセス回数Ｎ２を導出する。
【０１０１】
続いて、Ｓ８１９では、効果評価部２４は、周期データ及び非周期データの各々の送信パターン（例えばアクセス回数Ｎ１，Ｎ２、一回送信時間ＴＯＮＥ２，ＴＯＮＥ４）に対し、通信効果を評価する。
【０１０２】
続いて、Ｓ８２１では、非周期データ送信パターン設定部２３は、非周期データの一回送信時間ＴＯＮＥ３の候補値として、次の候補値を設定する。
【０１０３】
続いて、Ｓ８２３では、周期データ送信パターン設定部２２は、周期データのアクセス回数Ｎ１の候補値として、次の候補値を設定する。
【０１０４】
続いて、Ｓ８２５では、送信パターン確定部２５は、周期データのアクセス回数Ｎ１の候補値及び非周期データの一回送信時間ＴＯＮＥ３の候補値の全候補値について、通信効果を比較する。送信パターン確定部２５は、全候補値についての通信効果のうち、最良の通信効果と評価された周期データ及び非周期データのアクセス回数Ｎ１，Ｎ２及び一回送信時間ＴＯＮＥ２，ＴＯＮＥ４を決定する。また、送信パターン確定部２５は、最良の通信効果でなくても、所定基準以上の通信効果であると評価された周期データ及び非周期データのアクセス回数Ｎ１，Ｎ２及び一回送信時間ＴＯＮＥ２，ＴＯＮＥ４を決定してもよい。
【０１０５】
続いて、Ｓ８２７では、パラメータ導出部２６は、例えば（式１）を用いて、決定された周期データのアクセス回数Ｎ１及び非周期データのアクセス回数Ｎ２に基づき、非周期データに用いるＥＤＣＡパラメータのＣＷｍｉｎを導出する。
【０１０６】
続いて、Ｓ８２９では、パラメータ導出部２６は、周期データの一回送信時間ＴＯＮＥ１に基づき、周期データに用いるＥＤＣＡパラメータのＴＸＯＰを導出する。また、パラメータ導出部２６は、非周期データの一回送信時間ＴＯＮＥ３に基づき、非周期データに用いるＥＤＣＡパラメータのＴＸＯＰを導出する。
【０１０７】
そして、マイクロ波送信部１５は、導出されたＥＤＣＡパラメータを用いて、マイクロ波通信路を介して送信する。また、マイクロ波送信部１５は、導出されたＥＤＣＡパラメータをアクセスポイントへ送信する。これにより、送信装置１０を含むアクセスポイント管理下の通信装置は、ＥＤＣＡパラメータを共有して利用できる。
【０１０８】
送信装置１０によれば、ミリ波通信からマイクロ波通信に切換える場合、切換前のミリ波通信の周期特性から切換後のマイクロ波通信の周期特性の要求（例えばリアルタイム通信に対する要求）を導出し、切換後に利用する送信パラメータを適応的に設定できる。これにより、切換前と切換後とでは帯域の割り当て方が異なるが、リアルタイム通信のリアルタイム性を保障できる。また、マイクロ波通信の周期特性の要求に応じて、非リアルタイム通信も保障できる。従って、ミリ波通信からマイクロ波通信に切換える場合でも通信品質を維持でき、通信品質を向上できる。
【０１０９】
なお、本実施形態では、通信トラフィックストリームを周期データと非周期データとの２種類に分けて送信する方法を説明した。これに限らず、周期データに対応するアクセスカテゴリが、ＡＣ＿ＶＩ及びＡＣ＿ＶＯの何れか一方でもよい。また、非周期データに対応するアクセスカテゴリが、ＡＣ＿ＢＥ及びＡＣ＿ＢＫの何れか一方でもよい。
【０１１０】
また、送信装置１０は、全ての通信トラフィックストリームをミリ波通信からマイクロ波通信へ切換えてもよい。また、送信装置１０は、一部の通信トラフィックストリームに限り、ミリ波通信からマイクロ波通信へ切換えてもよい。これにより、ミリ波送信のみの実施とミリ波送信及びマイクロ波送信の同時実施とを選択できる。
【０１１１】
（第２の実施形態）
第１の実施形態では、切換後の通信トラフィックストリームを周期データと非周期データとの２種類に分類して送信する方式を示した。本実施形態では、周期データ又は非周期データにおいて、更に複数のデータ種類を含むトラフィックストリームが存在し、別々に処理する方式を示す。
【０１１２】
図９は、第２の実施形態における送信装置１０Ｂの構成例を示すブロック図である。送信装置１０Ｂは、切換制御部１１、ミリ波送信部１３、マイクロ波送信部１５Ｂ、パラメータ設定部１７、及びデータ振分部９９を備える。図９の送信装置１０Ｂにおいて、図１の送信装置１０と同様の構成要素については、同一の符号を付し、説明を省略又は簡略化する。
【０１１３】
送信装置１０Ｂは、送信装置１０と比較すると、データ振分部９９が追加され、マイクロ波送信部１５Ｂが変更されている。
【０１１４】
データ振分部９９は、通信データの種別（例えばＥＤＣＡパラメータのアクセスカテゴリ）毎に、例えば、送信順序又は送信量を制御する。通信トラフィックストリームには、例えば、ＥＤＣＡパラメータのアクセスカテゴリがＡＣ＿ＶＩ，ＡＣ＿ＶＯ，ＡＣ＿ＢＥ，ＡＣ＿ＢＫである４種類の通信データが含まれる。
【０１１５】
データ振分部９９は、この４種類のアクセスカテゴリ別に通信データを分類よい。この場合、アクセスカテゴリ毎に、例えば、送信パターンが設定され、通信効果が評価され、ＥＤＣＡパラメータが導出される。
【０１１６】
なお、アクセスカテゴリがＡＣ＿ＶＩ，ＡＣ＿ＶＯである通信データは周期データであり、周期データに用いるＥＤＣＡパラメータのＴＸＯＰに相当する送信時間内に送信される。また、アクセスカテゴリがＡＣ＿ＢＥ，ＡＣ＿ＢＫである通信データは非周期データであり、非周期データに用いるＥＤＣＡパラメータのＴＸＯＰに相当する送信時間内に送信される。
【０１１７】
データ振分部９９は、例えば、ＡＣ＿ＶＩに周期データの送信時間の８０％を割り当て、ＡＣ＿ＶＯの通信データに、周期データの送信時間の２０％を割り当てるように、パラメータ設定部１７に指示してもよい。また、データ振分部９９は、例えば、ＡＣ＿ＶＩの通信データを先に送信し、ＡＣ＿ＶＯの通信データを後に送信するように、パラメータ設定部１７に指示してもよい。これにより、送信量の多い若しくは重要度の高い通信データを先に送信し、又は送信頻度が高くなるように設定できる。また、詳細説明を省略するが、ＡＣ＿ＢＥ，ＡＣ＿ＢＫについても同様である。
【０１１８】
送信装置１０Ｂによれば、通信トラフィックストリームに含まれる通信データの種別毎に、送信パターンを設定し、ＥＤＣＡパラメータを設定する。これにより、通信データの種別毎に細かく帯域割当方法を設定でき、通信効率を向上できる。
【０１１９】
（第３の実施形態）
第１の実施形態では、周期データが出現する周期Ｔ又は周期Ｔにおける送信量が固定された場合の方式を示した。本実施形態では、周期Ｔ又は周期Ｔにおける送信量が複数導出され、切換後の通信状況に合わせて、１つを設定する方式を示す。
【０１２０】
図１０は第３の実施形態における送信装置１０Ｃの構成例を示すブロック図である。送信装置１０Ｃは、切換制御部１１、ミリ波送信部１３、マイクロ波送信部１５、パラメータ設定部１７Ｃ、通信状態測定部１０９、及びパラメータ選択部１１１を備える。図１０の送信装置１０Ｃにおいて、図１の送信装置１０と同様の構成要素については、同一の符号を付し、説明を省略又は簡略化する。
【０１２１】
送信装置１０Ｃは、送信装置１０と比較すると、通信状態測定部１０９及びパラメータ選択部１１１が追加され、パラメータ設定部１７Ｃが変更されている。
【０１２２】
パラメータ設定部１７Ｃは、周期Ｔ又は複数のパラメータ群を導出し、図示しないメモリに保持する。第１の実施形態では、通信効果が最良と評価された送信パターンに対応するＥＤＣＡパラメータが１つ設定された。一方、パラメータ設定部１７Ｃは、周期データ送信パターン設定部２２又は非周期データ送信パターン設定部２３に導出された送信パターンの全て又は一部を利用し、各送信パターンに対応するＥＤＣＡパラメータを複数導出する。導出された複数のＥＤＣＡパラメータは、パラメータ群として保持される。
【０１２３】
通信状態測定部１０９は、切換制御部１１による切換後のマイクロ波通信路の通信状態（例えば物理伝送速度）を測定し、パラメータ選択部１１１へ通知する。
【０１２４】
パラメータ選択部１１１は、測定された通信状態に基づき、複数のパラメータ群から最適なパラメータ群を選択する。例えば、パラメータ選択部１１１は、測定された通信状態を加味して、パラメータ設定部１７Ｃにより導出された複数のパラメータ群に対応する送信パターンについて通信効果を評価する。パラメータ選択部１１１は、通信効果が最良である送信パターンに対応するパラメータを設定する。
【０１２５】
送信装置１０Ｃによれば、通信切換前にＥＤＣＡパラメータの候補値を複数生成し、通信切換後に、通信状態に適するＥＤＣＡパラメータを設定できる。これにより、通信切換後に実際に適したＥＤＣＡパラメータに設定できるので、更に通信品質を向上できる。
【０１２６】
なお、第２の実施形態と第３の実施形態とを組み合わせてもよい。
【０１２７】
本開示は、上記実施形態の構成に限られるものではなく、特許請求の範囲で示した機能、または本実施形態の構成が持つ機能が達成できる構成であれば、どのようなものであっても適用可能である。
【０１２８】
上記実施形態では、本開示をハードウェアで構成する場合を例にとって説明したが、本開示はハードウェアとの連携においてソフトウェアでも実現することも可能である。
【０１２９】
また、上記実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしてもよいし、集積度の違いにより、ＩＣ、システムＬＳＩ、スーパーＬＳＩ、ウルトラＬＳＩと呼称してもよい。
【０１３０】
また、集積回路化の手法はＬＳＩに限るものではなく、専用回路または汎用プロセッサで実現してもよい。例えば、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、ＬＳＩ内部の回路セルの接続、又は、設定を再構成可能なリコンフィギュラブル・プロセッサを利用してもよい。
【０１３１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１３２】
（本開示の一形態の概要）
本開示の第１の送信装置は、
専用帯域及び非専用帯域を用いて帯域制御される第１の通信路を用いて、通信データを送信する第１送信部と、
通信データの優先度別に優先制御される第２の通信路を用いて、通信データを送信する第２送信部と、
前記第１送信部による送信と前記第２送信部による送信とを切換える切換制御部と、
前記切換制御部により前記第１送信部による送信から前記第２送信部による送信に切換える場合、前記第２の通信路を用いて通信するための通信パラメータを設定するパラメータ設定部と、
を備える。
【０１３３】
本開示の第２の送信装置は、第１の送信装置であって、
前記パラメータ設定部は、
前記通信データのうちの周期的に送信される周期データの送信パターンと、前記通信データのうちの非周期的に送信される非周期データの送信パターンと、を導出する送信パターン導出部と、
前記送信パターン導出部により導出された前記周期データの送信パターン及び前記非周期データの送信パターンに基づいて、前記通信パラメータを導出するパラメータ導出部と、
を備える。
【０１３４】
本開示の第３の送信装置は、第２の送信装置であって、
前記パラメータ設定部は、前記送信パターン導出部により導出された送信パターンによる通信効果を評価する効果評価部を備え、
前記送信パターン導出部は、前記周期データの送信パターン及び前記非周期データの送信パターンを各々複数導出し、
前記効果評価部は、各送信パターンによる各通信効果を評価し、
前記パラメータ導出部は、効果評価部により評価された通信効果が所定効果以上である送信パターンに対応する前記通信パラメータを導出する。
【０１３５】
本開示の第４の送信装置は、第２または第３の送信装置であって、
前記送信パターン導出部は、前記周期データの通信チャネルへのアクセス回数及び前記周期データの一回のアクセス当たりの送信時間に基づいて、前記周期データの送信パターンを導出する。
【０１３６】
本開示の第５の送信装置は、第２ないし第４のいずれか１つの送信装置であって、
前記送信パターン導出部は、前記非周期データの通信チャネルへのアクセス回数と、前記非周期データの一回のアクセス当たりの送信時間に基づいて、前記非周期データの送信パターンを導出する。
【０１３７】
本開示の第６の送信装置は、第４または第５の送信装置であって、
前記パラメータ導出部は、前記送信パターン導出部により導出された前記周期データ又は前記非周期データの前記送信時間に基づいて、前記周期データ又は前記非周期データに用いるＥＤＣＡパラメータのＴＸＯＰ（Ｔｒａｎｓｍｉｓｓｉｏｎ  Ｏｐｐｏｒｔｕｎｉｔｙ）を導出する。
【０１３８】
本開示の第７の送信装置は、第４ないし第６のいずれか１つの送信装置であって、
前記パラメータ導出部は、前記周期データのアクセス回数及び前記非周期データのアクセス回数に基づいて、前記非周期データに用いるＥＤＣＡパラメータのＣＷｍｉｎ（Ｃｏｎｔｅｎｔｉｏｎ  Ｗｉｎｄｏｗ  ｍｉｎ）を導出する。
【０１３９】
本開示の第８の送信装置は、第２ないし第７のいずれか１つの送信装置であって、
前記パラメータ設定部は、前記周期データ又は前記非周期データを複数のデータ種別毎に分類するデータ振分部を備える。
【０１４０】
本開示の第９の送信装置は、第２ないし第８のいずれか１つの送信装置であって、
前記パラメータ設定部は、前記切換制御部による切換え前に、前記周期データが送信される送信周期及び前記送信周期に対応する前記通信パラメータの少なくとも一方を複数導出し、前記切換制御部による切換え後の前記第２の通信路の通信状態に応じて、前記送信周期及び前記送信周期に対応する前記通信パラメータの少なくとも一方を設定する。
【０１４１】
本開示の第１０の送信装置は、第２ないし第９のいずれか１つの送信装置であって、
前記第１の通信路は、ミリ波通信路である。
【０１４２】
本開示の第１１の送信装置は、第２ないし第１０のいずれか１つの送信装置であって、
前記第２の通信路は、マイクロ波通信路である。
【０１４３】
本開示の第１２の送信装置は、第２ないし第１１のいずれか１つの送信装置であって、
前記切換制御部は、全ての前記通信データを前記第２送信部による送信に切換え、又は、一部の前記通信データを前記第２送信部による送信に切換える。
【０１４４】
本開示の第１３の送信装置は、第２ないし第１２のいずれか１つの送信装置であって、
前記周期データは、ＥＤＣＡパラメータのアクセスカテゴリがＡＣ＿ＶＩ（Ａｃｃｅｓｓ  Ｃａｔｅｇｏｒｙ＿Ｖｉｄｅｏ）又はＡＣ＿ＶＯ（Ａｃｃｅｓｓ  Ｃａｔｅｇｏｒｙ＿Ｖｏｉｃｅ）の通信データである。
【０１４５】
本開示の第１４の送信装置は、第２ないし第１３のいずれか１つの送信装置であって、
前記非周期データは、ＥＤＣＡパラメータのアクセスカテゴリがＡＣ＿ＢＥ（Ａｃｃｅｓｓ  Ｃａｔｅｇｏｒｙ＿Ｂｅｓｔ  Ｅｆｆｏｒｔ）又はＡＣ＿ＢＫ（Ａｃｃｅｓｓ  Ｃａｔｅｇｏｒｙ＿ＢａｃＫｇｒｏｕｎｄ）である。
【０１４６】
本開示の第１５の送信方法は、
送信装置における送信方法であって、
専用帯域及び非専用帯域を用いて帯域制御される第１の通信路を用いて、通信データを送信するステップと、
通信データの優先度別に優先制御される第２の通信路を用いて、通信データを送信するステップと、
前記第１の通信路を用いた送信と前記第２の通信路を用いた送信とを切換えるステップと、
前記第１の通信路を用いた送信から前記第２の通信路を用いた送信に切換える場合、前記第２の通信路を用いて通信するための通信パラメータを設定するステップと、
を有する。
【産業上の利用可能性】
【０１４７】
本開示は、ミリ波通信からマイクロ波通信に切換える場合の通信品質を向上できる送信装置及び送信方法等に有用である。
【符号の説明】
【０１４８】
１０，１０Ｂ，１０Ｃ  送信装置
１１  切換制御部
１３  ミリ波送信部
１５，１５Ｂ  マイクロ波送信部
１７，１７Ｃ  パラメータ設定部
２１  周期特性取得部
２２  周期データ送信パターン設定部
２３  非周期データ送信パターン設定部
２４  効果評価部
２５  送信パターン確定部
２６  パラメータ導出部
４１  アクセス回数候補値設定部
４３  一回送信時間導出部
４５  第１チャネル占有時間導出部
６１  第２チャネル占有時間導出部
６３  一回送信時間候補値設定部
６５  アクセス回数導出部
９９  データ振分部
１０９  通信状態測定部
１１１  パラメータ選択部
【図１】
2014179682.tif 000004
【図２】
2014179682.tif 000005
【図３】
2014179682.tif 000006
【図４】
2014179682.tif 000007
【図５】
2014179682.tif 000008
【図６】
2014179682.tif 000009
【図７】
2014179682.tif 000010
【図８】
2014179682.tif 000011
【図９】
2014179682.tif 000012
【図１０】
2014179682.tif 000013
【図１１】
2014179682.tif 000014
【図１２】
2014179682.tif 000015